(57)【要約】【課題】  古いごみ集積場に貯蔵された物質の臭いを除去し、爆発を防止し、同時に、古いごみ集積場内容物の容易な輸送と簡単新規な移転を可能にし、嫌気性分解の反応ガスによる悪臭問題を回避する。【解決手段】  ごみ及び古い廃棄物の深さはないそのままでの処理を、その化学的及び生化学的特性に関連して、促進し、管理し、制御し、監視することによる、古い廃棄物および残ったごみに対する生化学的および／または生物学的‐機械的処理方法。【特許請求の範囲】
【請求項１】
ごみ及び古い廃棄物の深さに関係しないそのままでの処理を、その化学的及び生化学的特性に関連して、促進し、管理し、制御し、監視することを特徴とする古い廃棄物および残ったごみの生化学的および／または生物学的‐機械的処理方法。
【請求項２】
化学的および生化学的特性が、水分含有量および／または温度および／またはＣＯ２含有量および／または酸素含有量であることを特徴とする請求項１記載の方法。
【請求項３】
古い廃棄物および残ったごみに含有される有機成分のＣＯ２収支中性の生化学的分解を特徴とする請求項１または２に記載の方法。
【請求項４】
古い廃棄物および残ったごみの圧力換気を特徴とする請求項１〜３のいずれか１項に記載の方法。
【請求項５】
圧力換気を約３〜８バールの圧力範囲の低圧法で行うことを特徴とする請求項４記載の方法。
【請求項６】
古い廃棄物および残ったごみの処理の間メタンガスおよび他の反応ガスを吸引することを特徴とする請求項１〜５のいずれか１項に記載の方法。
【請求項７】
処理の間、空気中の通常酸素比率に比較して高い酸素比率をもつガス混合物を古い廃棄物および残ったごみに吹き込むことを特徴とする前記請求項１〜６のいずれか１項に記載の方法。
【請求項８】
吹き込むガス混合物に生物学的および／または化学的栄養素および／または他の化学剤が添加されていることを特徴とする請求項７記載の方法。
【請求項９】
その水分含有量および固体総有機炭素含有量（ＴＯＣ含有量）に関して原ごみ体積を減少させることによる生化学的体積最適化を特徴とする請求項１〜８のいずれか１項に記載の方法。
【請求項１０】
古い廃棄物および残ったごみの処理中、気体状または液体状の生物学的および／または化学的反応剤並びに細菌を添加することを特徴とする請求項１〜９のいずれか１項に記載の方法。
【請求項１１】
広義の粒子分別の廃棄物を処理することを特徴とする前記請求項１〜１０のいずれか１項に記載の方法。
【請求項１２】
再利用できるごみ成分を分離することによる古い廃棄物および残ったごみの機械的体積最適化を特徴とする前記請求項１〜１１のいずれか１項に記載の方法。
【請求項１３】
上に述べた方法により古い廃棄物および残ったごみを土壌工学的に安定化することを特徴とする前記請求項１〜１２のいずれか１項に記載の方法。
【発明の詳細な説明】
【技術分野】
【０００１】
この発明は、例えば古いごみ集積場にあるような古い廃棄物および残ったごみを生化学的に及び／又は生物学的‐機械的に処理する方法に関するものである。
【背景技術】
【０００２】
家庭および産業ごみを再利用可能な物質と残ったごみに分離することが工業国において強く望まれているけれども、価値ある物質が分離されないままに、残ったごみは当然、今なおさまざまな物質の混合物となっている。その上、残ったごみは今なお微生物学的に分解可能で生物学的でもある物質が大部分を占めており、それは速やかに微生物学的発酵を受けるもので、そのためとりわけ衛生的観点から規則正しく短期に廃棄物処理を図らなければならない。廃棄物処理は、熱または生物学的処理によって又は集積場での貯蔵によって行われる。このような集積場において起る嫌気性発酵の際発生するガス、とりわけ硫黄化合物および窒素化合物の悪臭ガス並びに爆発性ガスのメタンは、さまざまに構築されるシステムにより誘導され、集められ、燃焼されるかまたはエネルギー利用に供給される。
【発明の開示】
【発明が解決しようとする課題】
【０００３】
ところで、古いごみ集積場の解体または移動の際に問題となるのは、地下水の汚染を避け、古いごみ集積場に貯蔵された物質の臭いを除去し、爆発を防止し、同時に、古いごみ集積場内容物の容易な輸送と簡単新規な移転を可能にし、嫌気性分解の反応ガスによる悪臭問題を回避することである。
【０００４】
したがって、この発明の課題は、前記の要求を充足しうる、古い廃棄物（例えば古いごみ集積場）および残ったごみの生化学的及び／又は生物学的‐機械的処理のための適切な方法を提示することである。
【課題を解決するための手段】
【０００５】
上記の課題を解決するために、ごみ及び古い廃棄物の深さはないそのままでの処理(tiefenunabhangige in-sito-Behandlung)を、その化学的及び生化学的特性に関連して、促進し、管理し、制御し、監視することを特徴とする、始めに述べた技術の方法が提示される。
【発明の効果】
【０００６】
この発明の方法の利点は、とりわけ、個々の分別ごみの管理された分離が、最適で安全な持続的活用の観点から可能になること、並びにこの作業にかかわる従業者および古いごみ集積場および場合によっては新しい集積場の近隣で生活する住民の同時保護が可能なことである。利点の最後は、この発明の方法により再利用可能なごみ成分の分離による機械的体積最適化が可能になることである。
【発明を実施するための最良の形態】
【０００７】
本発明は、ごみ及び古い廃棄物の深さに関係しないそのままでの処理を、その化学的及び生化学的特性に関連して、促進し、管理し、制御し、監視することを特徴とする古い廃棄物および残ったごみの生化学的および／または生物学的‐機械的処理方法である。
【０００８】
本発明は、上記の方法において、化学的および生化学的特性が、水分含有量および／または温度および／またはＣＯ２含有量および／または酸素含有量であることを特徴とする生化学的および／または生物学的‐機械的処理方法である。
【０００９】
本発明はまた、上記の方法において、古い廃棄物および残ったごみに含有される有機成分のＣＯ２収支中性(CO2-bilanzneutralen)の生化学的分解を特徴とする生化学的および／または生物学的‐機械的処理方法である。
【００１０】
本発明はまた、上記の方法において、古い廃棄物および残ったごみの圧力換気(Drucksto sbel uftung)を特徴とする生化学的および／または生物学的‐機械的処理方法である。
【００１１】
本発明はまた、上記の方法において、圧力換気を約３〜８バールの圧力範囲の低圧法で行うことを特徴とする生化学的および／または生物学的‐機械的処理方法である。
【００１２】
本発明はまた、上記の方法において、古い廃棄物および残ったごみの処理の間メタンガスおよび他の反応ガスを吸引することを特徴とする生化学的および／または生物学的‐機械的処理方法である。
【００１３】
本発明はまた、上記の方法において、処理の間、空気中の通常酸素比率に比較して高い酸素比率をもつガス混合物を古い廃棄物および残ったごみに吹き込むことを特徴とする生化学的および／または生物学的‐機械的処理方法である。
【００１４】
本発明はまた、上記の方法において、吹き込むガス混合物に生物学的および／または化学的栄養素および／または他の化学剤が添加されていることを特徴とする生化学的および／または生物学的‐機械的処理方法である。
【００１５】
本発明はまた、上記の方法において、その水分含有量および固体総有機炭素含有量（ＴＯＣ含有量）に関して原ごみ体積を減少させることによる生化学的体積最適化を特徴とする生化学的および／または生物学的‐機械的処理方法である。
【００１６】
本発明はまた、上記の方法において、古い廃棄物および残ったごみの処理中気体状または液体状の生物学的および／または化学的反応剤並びに細菌を添加することを特徴とする生化学的および／または生物学的‐機械的処理方法である。
【００１７】
本発明はまた、上記の方法において、広義の粒子分別(Einer Weit Gefassten Kornfraktion)の廃棄物を処理することを特徴とする生化学的および／または生物学的‐機械的処理方法である。
【００１８】
本発明はまた、上記の方法において、再利用できるごみ成分を分離することによる古い廃棄物および残ったごみの機械的体積最適化を特徴とする生化学的および／または生物学的‐機械的処理方法である。
【００１９】
本発明はまた、上記の方法により古い廃棄物および残ったごみを土壌工学的に安定化することを特徴とする生化学的および／または生物学的‐機械的処理方法である。
【００２０】
この方法の有利な実施について以下に述べる。とりわけこの方法の実施は、処理の間、古い廃棄物および残ったごみに空気中の通常酸素比率（約２１％）に比較して高い酸素比率をもつガス混合物を吹き込むことである。この発明の方法を実施する利点は、特にメタンガス（ＣＨ４）が、増加した酸素供給（Ｏ２）により二酸化炭素（ＣＯ２）と水（２Ｈ２Ｏ）に変換され、それにより高度の爆発防護が達成されること、および、嫌気的分解から生じる悪臭物質の酸化により大きな悪臭低下が達成されることである。